(57)【要約】      （修正有）【課題】上部の収納スペースを有効活用できるバッグを提供する。【解決手段】開口を有するバッグ本体11と、開口を閉塞する外蓋13と、バッグ本体11に配置する上部トレイ20を備える。上部トレイ20は、上面のトレイ開口21と、強度部材にて形成した底面部22と、柔軟性を有する側面部23と、を備えて形成し、上部トレイ20の深さを調整する底面深さ可変機構30を備える。底面深さ可変機構30は、長さを調整可能な引張部材35を通過可能な第一孔部32を有する第一抑え部31と、引張部材35を通過可能な第二孔部34を有する第二抑え部33を、底面部22において互いに対向する側面部23の近くに対向配置する。引張部材35は、第一抑え部31の第一孔部32と第二抑え部33の第二孔部34に通過するとともに、引張部材35の一端を一方の側面部23の上縁側に固定し、引張部材35の他端を他方の側面部23の上縁側に固定する。【選択図】図１
2016007139.tif 000002
【特許請求の範囲】
【請求項１】
開口を有するバッグ本体と、前記の開口を閉塞する外蓋と、前記のバッグ本体に配置する上部トレイと、を備えたバッグであって、
前記の上部トレイは、上面のトレイ開口と、強度部材にて形成した底面部と、柔軟性を有する側面部と、を備えて物品を収納可能なトレイ状を形成するとともに、上部トレイの底面部の深さを調整する底面深さ可変機構を備え、
前記の底面深さ可変機構は、
長さを調整可能な引張部材を通過可能な第一孔部を有する第一抑え部と、前記の引張部材を通過可能な第二孔部を有する第二抑え部とを、前記の底面部において互いに対向する側面部の近くに対向して配置し、
前記の長さを調整可能な引張部材を、第一抑え部の第一孔部と第二抑え部の第二孔部に通過するとともに、前記の引張部材の一端を対向する一方の側面部の上縁側に固定し、前記の引張部材の他端を対向する他方の側面部の上縁側に固定したバッグ。
【請求項２】
前記の底面深さ可変機構は、前記の長さを調整可能な引張部材を、前記の上部トレイに対して複数か所、配置した請求項１に記載のバッグ。
【請求項３】
前記の引張部材は、長さ調整用のバックルを備えた帯状部材である請求項１または請求項２に記載のバッグ。
【請求項４】
開口を有するバッグ本体と、前記の開口を閉塞する外蓋と、前記のバッグ本体に配置する上部トレイと、を備えたバッグであって、
前記の上部トレイは、上面のトレイ開口と、強度部材でなる底面部と、柔軟性を有する側面部とを備えて物品を収納可能な容器状を形成するとともに、上部トレイの底面部の深さを調整する底面深さ可変機構を備え、
前記の底面深さ可変機構は、
前記の側面部の高さ方向のほぼ中央で、前記の側面部の外側を卷回する紐状部材と、前記の紐状部材にて前記の側面部を外側から締め付け可能に前記の紐状部材を保持する紐保持部と、を備えたバッグ。
【請求項５】
前記の上部トレイは、上面のトレイ開口を閉塞するトレイ用中蓋を備えた請求項１から請求項４のいずれかに記載のバッグ。
【発明の詳細な説明】
【技術分野】
【０００１】
本発明は、釣り用バッグやその他の形態のバッグに関する。バッグ本体の上部に、例えば釣り餌、釣糸、釣り針などの小物を収納するための上部トレイを備えたバッグを提供する技術に関する。
【背景技術】
【０００２】
一般的に、バッグは物品を収納するために、物品を出し入れするための開口を備えたバッグ本体と、前記開口を閉塞する外蓋と、を備えている。釣り餌、釣糸、釣り針などの小物は、魚釣りをしている間に頻繁に使用するので、たとえば、小物入れなどのケースを別途に用意することがある。その便宜を図るために、例えば、特許文献１に示すように、釣り用バッグの中に配置するタックルケースが発案されている。
【０００３】
特許文献１の釣り用バッグは、小物類を整理して収納するためのタックルケースを、バッグ本体に容易に出し入れすることを可能としている。タックルケースは、トレイ状に形成されたケース本体と、把手とを備える。ケース本体は、上面開口を閉塞する蓋を備える。タックルケースは、前記の蓋がバッグ本体の上面に露出するようにバッグ本体の中で支持される。
【先行技術文献】
【特許文献】
【０００４】
【特許文献１】特開２０１０−７５２１０号公報
【発明の概要】
【発明が解決しようとする課題】
【０００５】
特許文献１に開示された技術では、上部トレイはサイズが固定されているので、収納される小物類が少ない場合は、無駄なスペースが生じる。その逆に、収納される小物類が多い場合は、収納スペースが足りなくなる。すなわち、上部トレイのスペースを有効に活用されないことがある。しかも、ケース本体の収納スペースは、上部トレイのサイズ分だけ少なくなるので、釣り用バッグのバッグ本体の収納スペースが有効に活用されないことになる。
【０００６】
本願発明が解決しようとする課題は、バッグ本体の収納スペースを有効に活用できるバッグを提供することにある。
【課題を解決するための手段】
【０００７】
（第一の発明）
本願における第一の発明は、  開口(12)を有するバッグ本体(11)と、前記の開口(12)を閉塞する外蓋(13) と、前記のバッグ本体(11)に配置する上部トレイ(20) と、を備えたバッグ(10)に係る。
前記の上部トレイ(20)は、上面のトレイ開口(21)と、強度部材にて形成した底面部(22)と、柔軟性を有する側面部(23)と、を備えて物品を収納可能なトレイ状を形成するとともに、上部トレイ(20)の底面部(22)の深さを調整する底面深さ可変機構(30)を備える。
前記の底面深さ可変機構(30)は、  長さを調整可能な引張部材(35)を通過可能な第一孔部(32)を有する第一抑え部(31)と、前記の引張部材(35)を通過可能な第二孔部(34)を有する第二抑え部(33)を、前記の底面部(22)において互いに対向する側面部(23)の近くに対向して配置し、  前記の長さを調整可能な引張部材(35)を、第一抑え部(31)の第一孔部(32)と第二抑え部(33)の第二孔部(34)に通過するとともに、前記の引張部材(35)の一端を対向する一方の側面部(23)の上縁側に固定し、前記の引張部材(35)の他端を対向する他方の側面部(23)の上縁側に固定する。
【０００８】
（用語説明）
底面部(22)について「強度部材にて形成」とは、引張部材(35)を用いて底面部(22)の深さを調整する際に、柔軟性を有する側面部(23)よりも堅くて変形しにくいという趣旨である。具体的には、合成樹脂の発泡材や金属製などの堅い板材にて形成したり、そうした堅い板材を内包する袋体として形成したりしている。
側面部(23)について「柔軟性を有する」とは、布地のように変形しやすい素材、可撓性のある弾性素材などである。
【０００９】
（作用）
上部トレイ(20)における底面深さ可変機構(30)の引張部材(35)の長さを短くすると、強度部材にて形成されている底面部(22)は変形しにくいが、上部トレイ(20)の側面部(23)に皺が寄って、上部トレイ(20)の深さが次第に浅くなる。引張部材(35)の長さを調整することで、簡単に上部トレイ(20)を所望の深さに変更できる。したがって、上部トレイ(20)に収納する小物類が少ない場合、上部トレイ(20)を所望の深さに変更することで、上部トレイ(20)のスペースを有効に活用できる。その結果、バッグ本体(11)の収納スペースが大きくなる。
【００１０】
（第一の発明のバリエーション１）
第一の発明における前記の底面深さ可変機構(30)は、前記の長さを調整可能な引張部材(35)を、前記の上部トレイ(20)に対して複数か所、配置することとしてもよい。
【００１１】
（作用）
引張部材(35)を上部トレイ(20)に対して複数か所、配置したことで、上部トレイ(20)の側面部(23)をほぼ均等に縮む（皺が寄る）ようにできるので、底面部(22)が安定する。
【００１２】
（第一の発明のバリエーション２）
第一の発明は、前記の引張部材(35)は、長さ調整用のバックル(36)を備えた帯状部材とすることが望ましい。
なお、面ファスナーなどを採用することも可能である。
【００１３】
（作用）
長さ調整用のバックル(36)を備えた帯状部材は、一般的な機構であるので、安価で、長さを調整する操作が簡単である。
【００１４】
（第二の発明）
本願における第二の発明は、  開口(12)を有するバッグ本体(11)と、前記の開口(12)を閉塞する外蓋(13)と、前記のバッグ本体(11)に配置する上部トレイ(20) と、を備える。
前記の上部トレイ(20)は、上面のトレイ開口(21)と、強度部材でなる底面部(22)と、柔軟性を有する側面部(23)とを備えて物品を収納可能な容器状を形成するとともに、上部トレイ(20)の底面部(22)の深さを調整する底面深さ可変機構(40)を備える。
前記の底面深さ可変機構(40)は、  前記の側面部(23)の高さ方向のほぼ中央で、前記の側面部(23)の外側を卷回する紐状部材(41)と、前記の紐状部材(41)にて前記の側面部(23)を外側から締め付け可能に前記の紐状部材(41)を保持する紐保持部(42)と、を備えたバッグ(10)に係る（図６参照）。
【００１５】
（作用）
紐状部材(41)の両端を引っ張って上部トレイ(20)の側面部(23)を外周から締め付けると、上部トレイ(20)の側面部(23)の高さ方向のほぼ中央が、内周側へ折り込まれて縮む。すなわち、上部トレイ(20)の底面部(22)が上昇し、上部トレイ(20)の深さが次第に浅くなる。紐状部材(41)の両端を引っ張って固定することで、簡単に上部トレイ(20)を所望の深さに変更できる。したがって、上部トレイ(20)に収納する小物類が少ない場合、上部トレイ(20)を所望の深さに変更することで、上部トレイ(20)のスペースを有効に活用できる。その結果、バッグ本体(11)の収納スペースが大きくなる。
【００１６】
（第一の発明のバリエーション３、第二の発明のバリエーション１）
第一の発明および第二の発明においては、前記の上部トレイ(20)は、上面のトレイ開口(21)を閉塞するトレイ用中蓋(28)を備えることとしてもよい。
【００１７】
（作用）
上部トレイ(20)のトレイ開口(21)をトレイ用中蓋(28)にて閉塞するので、上部トレイ(20)を回動してバッグ本体(11)の開口(12)を開いても、上部トレイ(20)に収納した物品は外へ飛び出さない。
【発明の効果】
【００１８】
第一の発明および第二の発明によれば、バッグ本体の収納スペースおよび上部トレイの収納スペースを有効に活用できるバッグを提供することができた。
【図面の簡単な説明】
【００１９】
【図１】本発明の第一の実施形態に係るバッグの全体を示す斜視図である。
【図２】(ａ）は、図１のバッグにおける通常の状態を示し、(ｂ）は、上部トレイの深さを変更した状態を示す縦断面図である。
【図３】図１のバッグにおける上部トレイを移動する状態を示す縦断面図である。
【図４】本発明の第二の実施形態に係るバッグの全体を示す斜視図である。
【図５】図１の縦断面図である。
【図６】本発明の第三の実施形態に係るバッグの全体を示す斜視図である。
【発明を実施するための形態】
【００２０】
本発明を、第一および第二の実施形態に基づいて、更に詳しく説明する。
以下、本発明の第一の実施形態に係るバッグについて図面を参照して説明する。第一の実施形態の説明に使用する図面は、図１から図５であり、第二の実施形態を図６にて示す。
図１では、バッグの一例として釣り用バッグ１０の全体を示す。図２（ａ）は、図１の釣り用バッグ１０における上部トレイ２０の底面深さが通常の状態を示す。図２（ｂ）は、上部トレイ２０の底面深さを浅くした状態を示す。図３は、図１の釣り用バッグ１０における上部トレイ２０を移動してバッグ本体１１の開口１２を開ける状態を示す。
【００２１】
釣り用バッグ１０は、開口１２を有するバッグ本体１１と、前記の開口１２を閉塞する外蓋１３と、を備える。また、外蓋１３の内側で開口１２を閉塞する上部トレイ２０を備える。
バッグ本体１１は、本実施形態では樹脂製で、上面に開口１２を備えた略直方体に形成されている。
外蓋１３は、本実施形態では、バッグ本体１１の開口１２の付近の外周側に被さる矩形の皿状に形成されている。また、外蓋１３は、その一側縁とバッグ本体１１の開口１２の外側で、例えばヒンジ１４を介して回動可能に取り付けられている。
【００２２】
上部トレイ２０は、上面のトレイ開口２１、強度部材による底面部２２、および柔軟性を有する側面部２３を備えることで、物品を収納可能なスペースをバッグ本体１１の上部へ形成する。この上部トレイ２０は、本実施形態では、バッグ本体１１の大きさとの関係などを考慮して底面までの深さを７０ｍｍとしているが、特に限定されない。
柔軟性を有する側面部２３は、本実施形態では、合成繊維で形成された布地を採用する。
【００２３】
底面部２２は、本実施形態では、例えば、平面形状が矩形をなす強度部材となる発泡樹脂製の板材を、上部トレイ２０の底部へ備えた袋体へ内包させ配置している。底面部２２の材質は、後述する底面深さ可変機構３０を使用した際に変形しない程度の強度部材となるものであればよく、たとえば金属製の板材でもよい。
【００２４】
上部トレイ２０は、外蓋１３側以外の三辺をファスナーで開口および閉塞できるように形成している。すなわち、矩形状のトレイ開口２１の一側縁と、バッグ本体１１の開口１２の一側縁、すなわち外蓋１３を連結するヒンジ１４を設けた側の一側縁で、例えば連結ベルト２５を介して回動可能に取り付けられている。さらに、上部トレイ２０は、その矩形の三辺をなす側縁が、バッグ本体１１の開口１２の三辺をなす側縁とトレイ用ファスナー２４で連結される構成である。  したがって、上部トレイ２０は、バッグ本体１１の開口１２に対してトレイ用ファスナー２４で開閉可能となる。
なお、外蓋１３側を含めた四辺をファスナーで開口および閉塞できるように形成することで、上部トレイ２０をバッグ本体１１から着脱できるように形成してもよい。また、上部トレイ２０およびバッグ本体１１の間にファスナーを用いず、バッグ本体１１の上部へ上部トレイ２０がはまり込むような構造としてもよい。
【００２５】
上部トレイ２０は、上部トレイ２０の底面部２２の深さを調整する底面深さ可変機構３０を備える。
底面深さ可変機構３０としては、第一抑え部３１と第二抑え部３３を、底面部２２において互いに対向する側面部２３の近くに対向して配置する。本実施形態においては、ひとつの底面深さ可変機構３０に対して二つの抑え部３１，３３の組み合わせとしたが、抑え部の数を増やしたり、抑え部３１，３３の幅寸法を増やしたりすれば、より安定した調整作業が可能となる。
【００２６】
第一抑え部３１および第二抑え部３３は、ベルトなどの帯状部材であり、例えば、ポリエチレン、ポリウレタン、ポリプロピレン、ポリ塩化ビニルなどの樹脂でもよく、あるいは合成繊維でできた布地でもよい。また、樹脂を成型した部品、金属を成型または削り出した部品などを用いることとしてもよい。
第一抑え部３１は、帯状部材の長手方向の両端側が例えば縫製にて底面部２２に固定され、長さを調整可能な引張部材３５であるベルトなどの帯状部材を通過可能な第一孔部３２を有する。
第二抑え部３３は、帯状部材の長手方向の両端側が例えば縫製にて底面部２２に固定され、前記の引張部材３５であるベルトなどの帯状部材を通過可能な第二孔部３４を有する。
【００２７】
前記の長さを調整可能な引張部材３５は、幅２５ｍｍのベルトなどの帯状部材であり、長さ調整用のバックル３６を備えている。例えば、二本のベルト３５ａ，３５ｂを調整用のバックル３６にて長さ調整可能に連結している。引張部材３５は、例えば、ポリエチレン、ポリウレタン、ポリプロピレン、ポリ塩化ビニルなどの樹脂でもよく、合成繊維でできた布地でもよい。
【００２８】
上記の一方のベルト３５ａは、第一抑え部３１の第一孔部３２に通過し、そのベルト３５ａの一端を上部トレイ２０において対向する一方の側面部２３の上縁側に、例えば縫製にて固定する。上記の他方のベルト３５ｂは、第二抑え部３３の第二孔部３４に通過し、そのベルト３５ｂの一端を上部トレイ２０において対向する他方の側面部２３の上縁側に、例えば縫製にて固定する。
【００２９】
上記の引張部材３５の他の例としては、例えば二本のベルト３５ａ，３５ｂのうちの一方のベルト３５ａの一端にフックを設け、他方のベルト３５ｂの一端側と中間に面ファスナーを設けることができる。ベルト３５ｂを前記フックにかけて折返し、一端側の面ファスナーを中間の面ファスナーに張り付けて固定する。その固定する位置を調整することで、引張部材３５の長さを調整可能となる。
【００３０】
上述した図１の釣り用バッグ１０における作用を説明する。上部トレイ２０における底面深さ可変機構３０の二か所の引張部材３５，３５の長さを短くすると、側面部(23)よりも堅く形成している底面部(22)は変形しにくいので、上部トレイ２０の側面部２３が、図２（ａ）の状態から図２（ｂ）の状態へと蛇腹状に縮むことになる。すなわち、上部トレイ２０の底面深さが次第に浅くなる。したがって、引張部材３５，３５の長さを調整することで、簡単に上部トレイ２０を所望の深さに変更することができる。
底面深さ可変機構３０の一か所の引張部材３５を例として詳しく説明すると、引張部材３５のベルト３５ａが第一抑え部３１の第一孔部３２を通過して底面部２２の中央に向けて引っ張られる。すると、上部トレイ２０の上縁側に固定したベルト３５ａの一端と第一抑え部３１との間が短くなる。一方、引張部材３５のベルト３５ｂが第二抑え部３３の第二孔部３４を通過して底面部２２の中央に向けて引っ張られる。すると、上部トレイ２０の上縁側に固定したベルト３５ｂの一端と第二抑え部３３との間が短くなる。その結果、上部トレイ２０の側面部２３が、図２（ａ）の状態から図２（ｂ）の状態へと蛇腹状に縮むことになる。
【００３１】
上部トレイ２０に収納する小物類が少ない場合、上部トレイ２０を所望の深さに変更することで、上部トレイ２０のスペースを有効に活用でき、バッグ本体１１の収納スペースが大きくなる。その結果、釣り用バッグ１０の収納スペースを有効に活用できる。
【００３２】
底面深さ可変機構３０としては、本実施形態では、図１に示すように上記の長さを調整可能な引張部材３５を、上部トレイ２０において二か所に配置している。しかし、これに限定されず、例えば、上部トレイ２０においてほぼ中央位置に一か所だけ配置することができる。あるいは、上記の引張部材３５を三か所、あるいはそれ以上に配置してもよい。
【００３３】
上記の長さを調整可能な引張部材３５を、上部トレイ２０において複数か所（本実施形態では２箇所）に配置することで、上部トレイ２０の側面部２３がほぼ均等に縮む（皺が寄る）ようにできるので、底面部２２が安定する。
【００３４】
バッグ本体１１の内部から物品を出し入れする場合は、上部トレイ２０を外蓋１３と一緒に移動させると便利である。そのために、図３に示すように、上部トレイ２０において連結ベルト２５の側と反対側の上縁にトレイ用フック２６を形成する。一方、外蓋１３にも、前記のトレイ用フック２６と対向する位置に、外蓋用フック１５を形成する。
外蓋用フック１５とトレイ用フック２６とをジョイント具２７にて連結することで、外蓋１３を図３の矢印の方向に開けると、上部トレイ２０はジョイント具２７を介して外蓋１３と一緒に移動して、バッグ本体１１の開口１２が開放することになる。このとき、予め、上部トレイ２０はバッグ本体１１の開口１２に対してトレイ用ファスナー２４で開いておく。
【００３５】
上記の釣り用バッグ１０は、図４および図５に示すように、上部トレイ２０におけるトレイ開口２１を閉塞するトレイ用中蓋２８を形成することができる。本実施形態では、トレイ用中蓋２８は、内部を確認できるように透明あるいは半透明な材質で形成している。また、トレイ用中蓋２８は、中蓋用ファスナー２９で開閉可能となっている。
【００３６】
何らかの状況のために釣用バッグ１０が倒れても、上部トレイ２０のトレイ開口２１がトレイ用中蓋２８で閉塞されることで、上部トレイ２０に収納した物品が外へ飛び出すことはない。また、上部トレイ２０を回動してバッグ本体１１の開口１２を開いても、上部トレイ２０に収納した物品が外へ飛び出すことを防止できる。
【００３７】
次に、本発明の第二の実施形態に係るバッグについて図面を参照して説明する。ここで使用する図面は、図６である。基本的には、前述の第一の実施形態の釣り用バッグ１０と同様であるので、同様の部材は同じ符号を付し、特に異なる点だけを詳しく説明する。
図６では、釣り用バッグ１０ａにおける上部トレイ２０の基本的な構造は第一の実施形態と同じであり、底面深さ可変機構４０が異なる。
【００３８】
底面深さ可変機構４０としては、上部トレイ２０の側面部２３の高さ方向のほぼ中央で、側面部２３の外側を卷回する紐状部材４１を備える。
紐状部材４１を保持する紐保持部４２を備える。その紐保持部４２は、例えば、紐状部材４１を通過できる管状を形成しており、上部トレイ２０の側面部２３の高さ方向のほぼ中央に、例えば縫製にて固定している。紐状部材４１は、紐保持部４２の管状内を通過させて、その両端を引っ張ることで、上部トレイ２０の側面部２３を外側から締め付ける構成である。
紐保持部４２は、上記の管状に限定されず、種々の形態でよい。例えば、上部トレイ２０の側面部２３の外周を適当な間隔で配置したリング状部材であってもよい。リング状部材は、紐状部材４１を通過可能であり、上部トレイ２０の側面部２３に、例えば縫製にて固定する。
【００３９】
以下、第二の実施形態に係る釣り用バッグ１０ａにおける作用を説明する。
紐状部材４１の両端を引っ張って上部トレイ２０の側面部２３を外周から締め付けると、上部トレイ２０の側面部２３の高さ方向のほぼ中央が、図６の状態のように内周側へ折り込まれて縮むことになる。すなわち、上部トレイ２０の底面部２２が図６の二点鎖線の状態から上昇し、上部トレイ２０の底面深さが次第に浅くなる。紐状部材４１の引き締めを調整して両端側を縛って固定することで、簡単に上部トレイ２０を所望の深さに変更することができる。
上部トレイ２０に収納する小物類が少ない場合、上部トレイ２０を所望の深さに変更することで、上部トレイ２０のスペースを有効に活用でき、バッグ本体１１の収納スペースが大きくなる。その結果、釣り用バッグ１０ａの収納スペースを有効に活用できる。
【産業上の利用可能性】
【００４０】
本発明は、釣り用バッグを含む種々のバッグの製造業、釣具や釣用備品または雑貨の製造業、レンタル業などのレジャー産業、および種々のバッグを用いる運送業、漁業、農業において利用可能性を有する。
【符号の説明】
【００４１】
１０，１０ａ；釣り用バッグ            １１；バッグ本体
１２；開口                            １３；外蓋
１４；ヒンジ                          １５；外蓋用フック
２０；上部トレイ                      ２１；トレイ開口
２２；底面部                          ２３；側面部
２４；トレイ用ファスナー              ２５；連結ベルト
２６；トレイ用フック                  ２７；ジョイント具
２８；トレイ用中蓋                    ２９；中蓋用ファスナー
３０；底面深さ可変機構                ３０ａ；底面深さ可変機構
３１；第一抑え部                      ３２；第一孔部
３３；第二抑え部                      ３４；第二孔部
３５；引張部材                        ３５ａ，３５ｂ；ベルト
３６；バックル
４０；底面深さ可変機構                ４１；紐状部材
４２；紐保持部
【図１】
2016007139.tif 000003
【図２】
2016007139.tif 000004
【図３】
2016007139.tif 000005
【図４】
2016007139.tif 000006
【図５】
2016007139.tif 000007
【図６】
2016007139.tif 000008